(57)【要約】【課題】音声および音楽をデジタル処理でき、しかも小型化および低価格化を実現できる給湯装置を提供する。【解決手段】給湯装置本体１と、給湯装置本体１を遠隔操作するための風呂リモコン２および台所リモコン３と、風呂リモコン２と台所リモコン３との間で通話を行なうためのインターホン手段と、風呂リモコン２あるいは台所リモコン３から音楽データに基づく音楽を出力するオーディオ手段と、インターホン手段における音声データとオーディオ手段における音楽データとを選択的に切り替えて出力する切替手段とを有する給湯装置であって、風呂リモコン２あるいは台所リモコン３に、インターホン手段におけるコーデック機能、オーディオ手段における音楽再生デコーダ機能、および切替手段における音声データ／音楽データ切替機能を有するＤＳＰ２２，３２を設けた。【選択図】　図１
2004132608.tif 000002
【特許請求の範囲】
【請求項１】
給湯装置本体と、
前記給湯装置本体を遠隔操作するための複数の遠隔操作装置と、
前記複数の遠隔操作装置相互間で通話を行なうためのインターホン手段と、
前記複数の遠隔操作装置のうちの少なくとも１つから音楽データに基づく音楽を出力するオーディオ手段と、
前記インターホン手段における音声データと前記オーディオ手段における音楽データとを選択的に切り替えて出力する切替手段とを有する給湯装置であって、
前記複数の遠隔操作装置のうちの少なくとも１つに、前記インターホン手段におけるコーデック機能、前記オーディオ手段における音楽再生デコーダ機能、および前記切替手段における音声データ／音楽データ切替機能を有するＤＳＰを設けたことを特徴とする、給湯装置。
【請求項２】
前記ＤＳＰが各機能を実現するために実行すべき各ソフトウェアを格納した記憶手段を設け、
前記記憶手段から前記ＤＳＰに内蔵されているインストラクションＲＡＭに前記ソフトウェアを選択的に読み込ませて前記ＤＳＰに実行させる、請求項１に記載の給湯装置。
【請求項３】
前記記憶手段は、前記給湯装置に着脱可能である、請求項２に記載の給湯装置。
【発明の詳細な説明】
【０００１】
【発明の属する技術分野】
本発明は、インターホン機能およびオーディオ機能を有する給湯装置に関する。
【０００２】
【従来の技術】
インターホン機能およびオーディオ機能を有する従来の給湯装置は、たとえば台所のリモートコントローラに備えられたインターホン用のマイクロホンからの音声信号を増幅するアンプとＦＭ変調回路との接続点に、外部オーディオ機器からの音楽信号を供給する構成であった（たとえば、特許文献１、特許文献２参照）。
【０００３】
【特許文献１】
特開２００２−２７７０５０号公報
【特許文献２】
特開２００２−２４３２７３号公報
【０００４】
【発明が解決しようとする課題】
しかし、このような従来の給湯装置では、各リモートコントローラに設置されたＦＭ変調回路およびＦＭ復調回路をＣＰＵにより制御する必要があり、制御が複雑になる。しかも、デジタルの音楽データを取り扱うことができない。
【０００５】
そこで、音声データをエンコードおよびデコードするためのコーデックと、音楽データをデコードするためのデコーダと、これらコーデックおよびデコーダの出力を各別にアナログ信号に変換する２個のＤ／Ａコンバータと、音声／音楽を切り替えるための２個のセレクタとをリモートコントローラに設け、音声および音楽をデジタル処理可能に構成することが考えられる。
【０００６】
しかしながら、このような構成では、コーデック、デコーダ、２個のＤ／Ａコンバータおよび２個のセレクタをリモートコントローラに設置する必要があり、回路規模が大きくなることから、小型化および低価格化の妨げになるという課題があった。
【０００７】
【発明の開示】
本発明は上記の点に鑑みて提案されたものであって、音声および音楽をデジタル処理でき、しかも小型化および低価格化を実現できる給湯装置を提供することを、その課題としている。
【０００８】
上記の課題を解決するため、本発明では、次の技術的手段を講じている。
【０００９】
本発明の第１の側面によれば、給湯装置本体と、給湯装置本体を遠隔操作するための複数の遠隔操作装置と、複数の遠隔操作装置相互間で通話を行なうためのインターホン手段と、複数の遠隔操作装置のうちの少なくとも１つから音楽データに基づく音楽を出力するオーディオ手段と、インターホン手段における音声データとオーディオ手段における音楽データとを選択的に切り替えて出力する切替手段とを有する給湯装置であって、複数の遠隔操作装置のうちの少なくとも１つに、インターホン手段におけるコーデック機能、オーディオ手段における音楽再生デコーダ機能、および切替手段における音声データ／音楽データ切替機能を有するＤＳＰを設けたことを特徴とする、給湯装置が提供される。
【００１０】
好ましい実施の形態によれば、ＤＳＰが各機能を実現するために実行すべき各ソフトウェアを格納した記憶手段を設け、記憶手段からＤＳＰに内蔵されているインストラクションＲＡＭにソフトウェアを選択的に読み込ませてＤＳＰに実行させる。
【００１１】
他の好ましい実施の形態によれば、記憶手段は、給湯装置に着脱可能である。
【００１２】
本発明によれば、インターホン手段におけるコーデック機能、オーディオ手段における音楽再生デコーダ機能、および切替手段における音声データ／音楽データ切替機能を有するＤＳＰを設けたので、コーデック、デコーダ、２個のＤ／Ａコンバータおよび２個のセレクタを各別に設ける必要がないことから、音声および音楽をデジタル処理でき、しかも小型化および低価格化を実現できる。
【００１３】
本発明のその他の特徴および利点は、添付図面を参照して以下に行う詳細な説明によって、より明らかとなろう。
【００１４】
【発明の実施の形態】
以下、本発明の好ましい実施の形態を、図面を参照しつつ具体的に説明する。
【００１５】
図１は、本発明の給湯装置の概略回路ブロック図である。この給湯装置は、給湯装置本体１、風呂リモコン２、および台所リモコン３を備えている。給湯装置本体１は、たとえば屋外に設置されている。風呂リモコン２は、浴室に設置されている。台所リモコン３は、台所に設置されている。給湯装置本体１と風呂リモコン２と台所リモコン３とは、２芯のケーブル４により相互に接続されている。なお、給湯装置は、一般給湯機能の他に、風呂浴槽への湯張り機能、追焚機能、および温水暖房機能のうちの少なくとも１つを併設したものであってもよいし、湯張り機能、追焚機能、および温水暖房機能それぞれの単機能型温水装置であってもよい。
【００１６】
給湯装置本体１は、ＣＰＵ１１、ＲＯＭ１２、および通信ＩＣ１３を備えている。給湯装置本体１には、これらの他に、バーナや送風ファンや燃料流路や湯水の流路などを制御するための各種の電子機器、およびそれらを駆動するための各種の駆動回路などが設けられているが、本発明の要旨とは直接関係しないので、図示および説明を省略する。
【００１７】
風呂リモコン２は、ＣＰＵ２１、ＤＳＰ２２、通信ＩＣ２３、Ａ／Ｄコンバータ２４、Ｄ／Ａコンバータ２５、アンプ２６、マイクロホン２７、およびスピーカ２８を備えている。ＤＳＰ２２は、インストラクションＲＡＭ２９を内蔵している。風呂リモコン２には、これらの他に、使用者により操作されるキースイッチ群や、使用者に各種の情報を報知するための表示装置などが設けられているが、本発明の要旨とは直接関係しないので、図示および説明を省略する。
【００１８】
台所リモコン３は、ＣＰＵ３１、ＤＳＰ３２、通信ＩＣ３３、Ａ／Ｄコンバータ３４、Ｄ／Ａコンバータ３５、アンプ３６、マイクロホン３７、スピーカ３８、およびメモリスロット３９を備えている。メモリスロット３９には、ＲＯＭあるいはＥＥＰＲＯＭなどの不揮発性メモリ４０が装着されている。不揮発性メモリ４０は、台所リモコン３の外部からメモリスロット３９に着脱自在に構成されている。たとえば、台所リモコン３の筐体にスリットが形成されており、このスリットを介してカードタイプの不揮発性メモリ４０を挿抜することにより、不揮発性メモリ４０がメモリスロット３９に着脱される。ＤＳＰ３２は、インストラクションＲＡＭ４１を内蔵している。台所リモコン３には、これらの他に、使用者により操作されるキースイッチ群や、使用者に各種の情報を報知するための表示装置などが設けられているが、本発明の要旨とは直接関係しないので、図示および説明を省略する。
【００１９】
次に動作を説明する。
【００２０】
給湯装置本体１と風呂リモコン２および台所リモコン３との間の各種の制御データの通信は、ケーブル４を介して通信ＩＣ１３，２３，３３により実行される。ケーブル４は、給湯装置本体１から風呂リモコン２および台所リモコン３に電源を供給するのに用いられており、制御データは電源電圧に重畳されて伝送される。
【００２１】
たとえば浴室の使用者が台所の使用者と通話したい場合、浴室の使用者が風呂リモコン２に所定の操作を施すと、操作信号がＣＰＵ２１に入力される。そしてＣＰＵ２１が、インターホン用のプログラムを送信すべき旨の指令を台所リモコン３のＣＰＵ３１に送信する。ＣＰＵ２１とＣＰＵ３１との間の通信は、通信ＩＣ２３，３３を介して実行される。これによりＣＰＵ３１が、不揮発性メモリ４０からインターホン用のプログラムを読み出し、ＣＰＵ２１に送信するとともに、ＤＳＰ３２のインストラクションＲＡＭ４１に格納する。インターホン用のプログラムを受け取ったＣＰＵ２１は、それをＤＳＰ２２のインストラクションＲＡＭ２９に格納する。インターホン用のプログラムとは、ＤＳＰ２２，３２をインターホンの音声データを処理するコーデックとして動作させるためのプログラムである。
【００２２】
風呂リモコン２のマイクロホン２７に入力された音声は、マイクロホン２７によりアナログの音声信号に変換されて、Ａ／Ｄコンバータ２４によりデジタルの音声信号に変換される。この音声信号は、ＤＳＰ２２により所定の形式で符号化され、音声データとして通信ＩＣ２３に供給される。通信ＩＣ２３は、ＤＳＰ２２からの音声データを所定の方式で変調し、ケーブル４に送出する。ケーブル４に送出された音声データは、台所リモコン３の通信ＩＣ３３によって復調され、ＤＳＰ３２に供給される。通信ＩＣ３３によって復調された音声データは、ＤＳＰ３２によって復号化され、Ｄ／Ａコンバータ３５によってアナログの音声信号に変換され、アンプ３６によって増幅されて、スピーカ３８から音声として出力される。
【００２３】
また、台所リモコン３のマイクロホン３７に入力された音声は、マイクロホン３７によりアナログの音声信号に変換されて、Ａ／Ｄコンバータ３４によりデジタルの音声信号に変換される。この音声信号は、ＤＳＰ３２により所定の形式で符号化され、音声データとして通信ＩＣ３３に供給される。通信ＩＣ３３は、ＤＳＰ３２からの音声データを所定の方式で変調し、ケーブル４に送出する。ケーブル４に送出された音声データは、風呂リモコン２の通信ＩＣ２３によって復調され、ＤＳＰ２２に供給される。通信ＩＣ２３によって復調された音声データは、ＤＳＰ２２によって復号化され、Ｄ／Ａコンバータ２５によってアナログの音声信号に変換され、アンプ２６によって増幅されて、スピーカ２８から音声として出力される。
【００２４】
一方、浴室の使用者がバスオーディオを楽しみたい場合、浴室の使用者が風呂リモコン２に所定の操作を施すと、操作信号がＣＰＵ２１に入力される。そしてＣＰＵ２１が、バスオーディオ用のプログラムを送信すべき旨の指令を台所リモコン３のＣＰＵ３１に送信する。ＣＰＵ２１とＣＰＵ３１との間の通信は、通信ＩＣ２３，３３を介して実行される。これによりＣＰＵ３１が、不揮発性メモリ４０からバスオーディオ用のプログラムを読み出し、ＣＰＵ２１に送信する。バスオーディオ用のプログラムを受け取ったＣＰＵ２１は、それをＤＳＰ２２のインストラクションＲＡＭ２９に格納する。バスオーディオ用のプログラムとは、ＤＳＰ２２やＤＳＰ３２をバスオーディオの音楽データを再生処理する音楽再生デコーダとして動作させるためのプログラムである。
【００２５】
さらにＣＰＵ２１が、バスオーディオ用の音楽データを送信すべき旨の指令を台所リモコン３のＣＰＵ３１に送信する。ＣＰＵ２１とＣＰＵ３１との間の通信は、通信ＩＣ２３，３３を介して実行される。これによりＣＰＵ３１が、不揮発性メモリ４０からバスオーディオ用の音楽データを読み出し、通信ＩＣ３３に供給する。通信ＩＣ３３は、ＣＰＵ３１からの音楽データを所定の方式で変調し、ケーブル４に送出する。ケーブル４に送出された音楽データは、風呂リモコン２の通信ＩＣ２３によって復調され、ＤＳＰ２２に供給される。通信ＩＣ２３によって復調された音楽データは、ＤＳＰ２２によって所定の形式で復号化され、Ｄ／Ａコンバータ２５によってアナログの音楽信号に変換され、アンプ２６によって増幅されて、スピーカ２８から音楽として出力される。
【００２６】
また、台所の使用者がバスオーディオを楽しみたい場合、台所の使用者が台所リモコン３に所定の操作を施すと、操作信号がＣＰＵ３１に入力される。そしてＣＰＵ３１が、不揮発性メモリ４０からバスオーディオ用のプログラムを読み出し、ＤＳＰ３２のインストラクションＲＡＭ４１に格納する。
【００２７】
さらにＣＰＵ３１が、不揮発性メモリ４０からバスオーディオ用の音楽データを読み出し、ＤＳＰ３２に供給する。この音楽データは、ＤＳＰ３２によって所定の形式で復号化され、Ｄ／Ａコンバータ３５によってアナログの音楽信号に変換され、アンプ３６によって増幅されて、スピーカ３８から音楽として出力される。
【００２８】
このように、インターホン用のプログラムとバスオーディオ用のプログラムとを不揮発性メモリ４０に格納しておき、ＤＳＰ２２，３２のインストラクションＲＡＭ２９，４１に適宜ダウンロードして、ＤＳＰ２２，３２をインターホン用のコーデックとバスオーディオ用の音楽再生デコーダとに選択的に機能させるので、風呂リモコン２および台所リモコン３にコーデック、デコーダ、および２個のセレクタをそれぞれ各別に設ける必要がなく、しかも２個のＤ／Ａコンバータを１個にできることから、音声および音楽をデジタル処理でき、しかも風呂リモコン２および台所リモコン３の小型化および低価格化を実現できる。
【００２９】
また本実施形態のように、台所リモコン３の不揮発性メモリ４０にインターホン用およびバスオーディオ用のプログラムを格納しておき、それを風呂リモコン２および台所リモコン３のＤＳＰ２２，３２のインストラクションＲＡＭ２９，４１に適宜ダウンロードしてＤＳＰ２２，３２をコーデックあるいは音楽再生デコーダとして機能させれば、不揮発性メモリ４０を風呂リモコン２と台所リモコン３とで共用できることから風呂リモコン２および台所リモコン３の小型化および低価格化を実現できる。さらには、音声データや音楽データのそれぞれ複数種類の圧縮／伸長方式に対応したプログラムを予め不揮発性メモリ４０に格納しておくことにより、ＤＳＰ２２，３２を複数種類のコーデックあるいは音楽再生デコーダとして選択的に機能させることができ、しかも風呂リモコン２と台所リモコン３とで圧縮／伸長方式を容易に合わせることができる。
【００３０】
また本実施形態のように、不揮発性メモリ４０をメモリスロット３９に着脱可能なように構成すれば、音楽データやプログラムを容易に変更できる。したがって、飽きることなく所望の音楽を楽しむことができ、またプログラムのバージョンアップや次世代の符号化方式などに容易に対応できる。
【００３１】
なお、上記実施形態においては、ＤＳＰ２２，３２用のプログラムとバスオーディオ用の音楽データとを同一の不揮発性メモリ４０に格納したが、ＤＳＰ２２，３２用のプログラムとバスオーディオ用の音楽データとを互いに異なるメモリに格納してもよい。もちろんそれらのメモリは、給湯装置本体１や風呂リモコン２や台所リモコン３のいずれの基板に実装してもよく、また同一の基板に実装してもよいし、互いに別の基板に実装してもよい。さらには、基板に対して着脱自在であってもよいし、固定であってもよい。また、不揮発性メモリ４０として、ＥＥＰＲＯＭの代わりにフラッシュメモリやＥＰＲＯＭやＲＯＭなどの他の不揮発性メモリを用いてもよいし、電池などにより電源バックアップの施されたＲＡＭを用いてもよい。
【００３２】
たとえば、ＤＳＰ２２，３２を動作させるためのプログラムを、給湯装置本体１のＲＯＭ１２に格納してもよい。また、風呂リモコン２あるいは台所リモコン３にＲＯＭを設けて、そのＲＯＭに格納してもよい。あるいは、ＣＰＵ１１，２１，３１に内蔵されたＲＯＭに格納してもよい。さらには、ＤＳＰ２２，３２に内蔵されたＲＯＭに格納してもよい。
【００３３】
また、上記実施形態においては、バスオーディオ用の音楽データを不揮発性メモリ４０に格納したが、たとえば台所リモコン３の外部端子にケーブルを接続して、バスオーディオ用の音楽データを外部から入力するように構成してもよい。
【００３４】
また、上記実施形態においては、遠隔操作装置として風呂リモコン２および台所リモコン３を設けたが、居間や洗面所やシャワールームなどにもリモートコントローラを設けてもよい。
【００３５】
また、上記実施形態においては、ＤＳＰ２２，３２用のプログラムとバスオーディオ用の音楽データとを台所リモコン３の不揮発性メモリ４０に格納したが、ＤＳＰ２２，３２用のプログラムを格納したメモリやバスオーディオ用の音楽データを格納したメモリを、給湯装置本体１に接続されるたとえば暖房端末装置などの他の端末装置に設置してもよい。
【００３６】
【発明の効果】
以上説明したように、本発明によれば、インターホン手段におけるコーデック機能、オーディオ手段における音楽再生デコーダ機能、および切替手段における音声データ／音楽データ切替機能を有するＤＳＰを設けたので、コーデック、デコーダ、２個のＤ／Ａコンバータおよび２個のセレクタを各別に設ける必要がないことから、音声および音楽をデジタル処理でき、しかも小型化および低価格化を実現できる。
【図面の簡単な説明】
【図１】本発明の給湯装置の概略回路ブロック図である。
【符号の説明】
１　給湯装置本体
２　風呂リモコン
３　台所リモコン
４　ケーブル
１１，２１，３１　ＣＰＵ
１２　ＲＯＭ
１３，２３，３３　通信ＩＣ
２２，３２　ＤＳＰ
２４，３４　Ａ／Ｄコンバータ
２５，３５　Ｄ／Ａコンバータ
２６，３６　アンプ
２７，３７　マイクロホン
２８，３８　スピーカ
２９，４１　インストラクションＲＡＭ
３９　メモリスロット
４０　不揮発性メモリ
【図１】
2004132608.tif 000003